(57)【要約】【課題】同軸ケーブルの端末処理が簡易な同軸コネクタを提供する。【解決手段】同軸コネクタ１０は、第１コンタクト１、第１ハウジング３、及びシェル５を備える。第１コンタクト１は、一対の接触片１１ｓ・１１ｓと槍状の第１圧接刃１２ｐ突出したピアシング端子１２を有する。第１ハウジング３は、円板部３２と方形部３３を有する。円板部３２は、第１コンタクト１を収容する第２収容室３２２を有する。方形部３３は、第２収容室３２２に連通し、同軸ケーブルＣｂの端末を導入できる導入穴３３ｈを有する。又、円板部３２は、カム片３１ｃを内壁から突出した第１リッドハウジング３１を有する。カム片３１ｃは、第１圧接刃１２ｐの先端を同軸ケーブルＣｂの先端面と対向配置した状態から、第１圧接刃１２ｐが中心導体Ｗｃに突き刺す状態に、ピアシング端子１２に当接して、第１コンタクト１を移動できる。【選択図】図３
2018113224.tif 000002
【特許請求の範囲】
【請求項１】
中心導体、この中心導体を包囲する誘電体、この誘電体を覆う外部導体、及び、この外部導体を被覆する絶縁シースを有し、軸方向と略直交する先端面を形成した同軸ケーブルの端末を結線する同軸コネクタであって、
略矩形に形成した天板の両辺から湾曲し、相手側コンタクトを内部に導入自在に、先端部側をΩ字状に開口した一対の接触片を有する接続端子、及び、前記同軸ケーブルの先端面の中心部を突き刺して、前記中心導体に接触できる槍状の第１圧接刃を前記天板の端部に配置したピアシング端子を有する第１コンタクトと、
相手側コンタクトを導入自在に一方の面を開口し、一対の前記接触片を内部に配置した第１収容室を有する円板部、及び、この円板部から一部が外周方向に突出した方形部を有し、一部が前記第１収容室に連通すると共に、前記接触片の突出方向から前記第１コンタクトを導入でき、前記第１コンタクトを移動自在に、前記天板を底面に載置した第２収容室を他方の面に開口した前円後方形状の第１ハウジングと、
一対の前記接触片が突出する方向と同じ方向から、一方の面に向って前記円板部を収容自在な円筒部、この円筒部の外周の一部が連続して略平行に延び、前記方形部を内部に収容自在な一対の延在片を有する導電性のシェルと、を備え、
前記第１ハウジングは、一端部を前記円板部の一部と屈曲自在に連結し、他端部側が前記第２収容室を閉止できる帯板状の第１リッドハウジングを有し、
前記シェルは、一端部を前記円筒部の一部と屈曲自在に連結し、他端部側が前記第１リッドハウジングと連動して、前記円筒部の他方の面を閉止できる底板片を有するケーブルクランプを有し、
前記方形部は、前記第２収容室に連通し、同軸ケーブルの端末を導入自在な導入穴を有し、
前記第１リッドハウジングは、前記第１ハウジングの第２収容室を閉止した状態では、前記第１圧接刃の先端を前記同軸ケーブルの先端面と対向配置した状態から前記第１圧接刃が前記中心導体に突き刺す状態に前記ピアシング端子に当接して、前記第１コンタクトを移動させるカム片を内壁から突出している、同軸コネクタ。
【請求項２】
中心導体、この中心導体を包囲する誘電体、この誘電体を覆う外部導体、及び、この外部導体を被覆する絶縁シースを有し、軸方向と略直交する先端面を形成した同軸ケーブルの端末を結線する同軸コネクタであって、
略矩形に形成した天板の両辺から湾曲し、相手側コンタクトを内部に導入自在に、先端部側をΩ字状に開口した一対の接触片を有する接続端子、及び、前記同軸ケーブルの先端面の中心部を突き刺して、前記中心導体に接触できる槍状の第２圧接刃を前記天板の端部に配置し、前記第２圧接刃が揺動自在なピアシング端子を有する第２コンタクトと、
相手側コンタクトを導入自在に一方の面を開口し、一対の前記接触片を内部に配置した第３収容室を有する円板部、及び、この円板部から一部が外周方向に突出した方形部を有し、一部が前記第３収容室に連通すると共に、前記接触片の突出方向から前記第２コンタクトを導入でき、前記第２コンタクトの天板を底面に固定した第４収容室を他方の面に開口した前円後方形状の第２ハウジングと、
一対の前記接触片が突出する方向と同じ方向から、一方の面に向って前記円板部を収容自在な円筒部、この円筒部の外周の一部が連続して略平行に延び、前記方形部を内部に収容自在な一対の延在片を有する導電性のシェルと、を備え、
前記第２ハウジングは、一端部を前記円板部の一部と屈曲自在に連結し、他端部側が前記第４収容室を閉止できる帯板状の第２リッドハウジングを有し、
前記シェルは、一端部を前記円筒部の一部と屈曲自在に連結し、他端部側が前記第２リッドハウジングと連動して、前記円筒部の他方の面を閉止できる底板片を有するケーブルクランプを有し、
前記方形部は、前記第４収容室に連通し、同軸ケーブルの端末を導入自在な導入穴を有し、
前記第２リッドハウジングは、前記第２ハウジングの第４収容室を閉止した状態では、前記第２圧接刃の先端を前記同軸ケーブルの先端面と対向配置した状態から前記第２圧接刃が前記中心導体に突き刺す状態に前記第２圧接刃の反対面に当接して、前記第２圧接刃を移動させるカム片を内壁から突出している、同軸コネクタ。
【請求項３】
前記ケーブルクランプは、
一対の前記延在片を介して、前記方形部を圧着自在な一対のクリンプバレルと、
前記絶縁シースを圧着自在な一対のインシュレーショングリップと、を含み、
前記インシュレーショングリップは、前記絶縁シースを外周方向から突き刺して、前記外部導体に接触できる帯状のブレードを内壁に形成している、請求項１又は２記載の同軸コネクタ。
【発明の詳細な説明】
【技術分野】
【０００１】
本発明は、同軸コネクタに関する。特に、同軸ケーブルの中心導体と圧接接続できるピアシング端子を有するピアシング型コンタクトを備えた同軸コネクタであって、同軸ケーブルの端末処理が簡易な同軸コネクタの構造に関する。
【背景技術】
【０００２】
同軸ケーブルの端末に固定した同軸コネクタをプリント基板に実装したリセプタクルに接続することで、高周波信号を同軸ケーブルからプリント基板に伝送できる。又は、高周波信号をプリント基板から同軸ケーブルに伝送できる。
【０００３】
一般に、同軸ケーブルは、円形の中心導体、中心導体の周囲を囲うフッ素系樹脂などの誘電体、誘電体の周囲を囲う編組線などの外部導体、及び、外部導体を被覆保護する絶縁シースで構成している。
【０００４】
例えば、中心導体と圧接接続できるピアシング端子を端部に有するコンタクト、コンタクトを保持する絶縁性のハウジング、及び、コンタクトと電気的に絶縁した状態でハウジングを覆うと共に、同軸ケーブルの端末を固定自在なケーブルクランプを端部に有する導電性のシェルで構成した同軸コネクタが開示されている（例えば、特許文献１参照）。
【先行技術文献】
【特許文献】
【０００５】
【特許文献１】特開２０１６−２５０１９号公報
【発明の概要】
【発明が解決しようとする課題】
【０００６】
図２７は、従来技術による同軸コネクタの構成を示す斜視図であり、同軸ケーブルの端末を結線した状態図である。図２８は、従来技術による同軸コネクタの構成を示す右側面図であり、同軸ケーブルの端末を結線した状態図である。なお、本願の図２７と図２８は、特許文献１の図１と図３に相当している。
【０００７】
図２９は、従来技術による同軸コネクタの構成を示す縦断面図であり、同軸ケーブルの端末を結線した状態図である。図３０は、従来技術による同軸コネクタの構成を示す斜視図であり、同軸ケーブルの端末を同軸コネクタに結線する前の状態図である。なお、本願の図２９と図３０は、特許文献１の図７と図８に相当している。
【０００８】
図３１は、従来技術による同軸コネクタの構成を示す右側面図であり、同軸ケーブルの端末を同軸コネクタに結線する前の状態図である。図３２は、従来技術による同軸コネクタの構成を示す右側面図であり、同軸ケーブルの端末を同軸コネクタに結線する前の状態図である。なお、本願の図３１と図３２は、特許文献１の図１０と図１１に相当している。
【０００９】
図３３は、従来技術による同軸コネクタに備わるコンタクトの構成を示す斜視図である。図３４は、従来技術による同軸コネクタに備わるハウジングの構成を示す斜視図である。図３５は、従来技術による同軸コネクタに適用される同軸ケーブルの一例の構成を示す斜視図である。なお、本願の図３３から図３５は、特許文献１の図１３から図１５に相当している。
【００１０】
図３６は、従来技術による同軸コネクタの構成を示す斜視図であり、同軸ケーブルの端末を同軸コネクタに結線した状態図である。図３７は、従来技術による同軸コネクタに接続される相手側コネクタの構成を示す斜視図である。なお、本願の図３６と図３７は、特許文献１の図１６と図１７に相当している。
【００１１】
図３８は、従来技術による同軸コネクタと相手側コネクタが接続した状態を示す斜視図である。図３８は、従来技術による同軸コネクタと相手側コネクタが接続した状態を示す縦断面図である。なお、本願の図３８と図３９は、特許文献１の図１９と図２０に相当している。
【００１２】
図２７から図３９を参照すると、従来技術による同軸コネクタ９は、同軸ケーブルＣｂの端末を結線できる。同軸コネクタ９は、ピアシング型のコンタクト９１、前円後方形状のハウジング９２、及び、導電性のシェル９３を備えている。ハウジング９２は、帯板状の押え片９２ａを有している。シェル９３は、ケーブルクランプ９３１を有している。
【００１３】
図２９を参照すると、コンタクト９１は、後述するリセプタクル８の中心部に配置した円筒状の中心コンタクト８１（相手側コンタクト）と、同軸ケーブルＣｂを電気的に接続できる（図３７参照）。
【００１４】
図３３を参照すると、コンタクト９１は、接続端子９１１と槍状のピアシング端子９１２を備えている。接続端子９１１は、略矩形に形成した天板９ｔと一対の接触片９ｓ・９ｓを有している。一対の接触片９ｓ・９ｓは、天板９ｔの両辺から湾曲し、先端部側をΩ字状に開口している。一対の接触片９ｓ・９ｓは、後述するリセプタクル８の中心部に配置した中心コンタクト８１を内部に導入できる（図３７参照）。
【００１５】
図３３を参照すると、一対の接触片９ｓ・９ｓは、対向配置された一対の接点９１ｓ・９１ｓを接触片９ｓ・９ｓの先端部に有している。一対の接点９１ｓ・９１ｓは、図示しない中心コンタクト８１の外周に接触できる（図３７参照）。
【００１６】
図３３を参照すると、ピアシング端子９１２は、天板９ｔの後端部から帯状に延出し、天板９ｔの前端部に向かって反転している。そして、ピアシング端子９１２は、槍状の圧接刃９１ｐを先端部から突出している。又、圧接刃９１ｐの基端部には、一対の段差９１ｄ．９１ｄを形成している。
【００１７】
図３３から図３６を参照して、コンタクト９１をハウジング９２に保持した状態で（図３０参照）、同軸ケーブルＣｂの端末を圧接刃９１ｐに向かって移動すると、圧接刃９１ｐは、同軸ケーブルＣｂに備わる中心導体Ｗｃを突き刺して中心導体Ｗｃに接触できる（図３６参照）。
【００１８】
図２３を参照すると、ハウジング９２は、円板部９２１と方形部９２２を有している。円板部９２１は、その端部から押え片９２ａを起立している。押え片９２ａは、圧接刃９１ｐの突出方向と反対側からピアシング端子９１２を押さえている（図３０参照）。方形部９２２は、円板部９２１からその一部が外周方向に突出している。円板部９２１は、第１収容室ｈ１を中心部に有している（図２９参照）。
【００１９】
図２９を参照すると、第１収容室ｈ１は、リセプタクル８の中心部に配置した中心コンタクト８１を導入自在に（図３５参照）、ハウジング９２の一方の面を矩形に開口している。そして、第１収容室ｈ１には、一対の接触片９ｓ・９ｓを内部に配置している。
【００２０】
図３０又は図３４を参照すると、ハウジング９２は、第２収容室ｈ２を他方の面に矩形に開口している。第２収容室ｈ２は、その一部が第１収容室ｈ１に連通している。図２９又は図３０を参照すると、第２収容室ｈ２には、接触片９ｓの突出方向からコンタクト９１を導入できる。又、第２収容室ｈ２には、同軸ケーブルＣｂの端末を導入できる。
【００２１】
図３０又は図３４を参照すると、方形部９２２は、樋状の溝９２ｄを底面に穿設している。溝２２ｄは、第２収容室ｈ２に連通している。溝９２ｄには、同軸ケーブルＣｂの端末を導入できる。（図３６参照）。より具体的には、第２収容室ｈ２及び溝９２ｄには、端末処理された誘電体Ｄｉを収容できる（図３５又は図３６参照）。
【００２２】
図３０から図３２を参照すると、シェル９３は、円筒部９３２と一対の延在片９３３・９３３を有している。円筒部９３２には、一対の接触片９ｓ・９ｓが突出する方向と同じ方向から、円筒部９３２の一方の面に向って、ハウジング９２の円板部９２１を収容できる（図３０又は図３６参照）。
【００２３】
図３０又は図３６を参照すると、一対の延在片９３３・９３３は、円筒部９３２の外周の一部が連続して略平行に延びている。そして、一対の延在片９３３・９３３には、その内部に方形部９２２を収容できる（図４から図７参照）。
【００２４】
図３０又は図３６を参照すると、延在片９３３は、槍状の突き刺し突起９３ｐを円筒部９３２の遠心方向に突出している。同軸ケーブルＣｂの中心導体Ｗｃを圧接刃９１ｐに突き刺した状態では（図３６参照）、一対の突き刺し突起９３ｐ・９３ｐは、外部導体Ｗｂを突き刺すことができる（図３６参照）。そして、延在片９３３と外部導体Ｗｂを導通でき、シェル９３と外部導体Ｗｂを電気的に接続できる。
【００２５】
図３０から図３１を参照すると、ケーブルクランプ９３１は、底板片９３ｂを有している。底板片９３ｂは、その一端部を円筒部９３２の一部と屈曲自在にヒンジ９３ｈで連結している。又、ヒンジ９３ｈを屈曲することで。底板片９３ｂは、その他端部側が円筒部９３２の他方の面を閉止できる（図２７又は図２８参照）。これにより、同軸ケーブルＣｂの端末をシールドできる。
【００２６】
図３０から図３１を参照すると、ケーブルクランプ９３１は、一対のクリンプバレル９３ｃ・９３ｃと一対のインシュレーショングリップ９３ｉ・９３ｉを含んでいる。一対のクリンプバレル９３ｃ・９３ｃは、一対の延在片９３３・９３３を圧着できる（図２７又は図２８参照）。そして、ケーブルクランプ９３１の底板片９３ｂが円筒部９３２の他方の面を閉止した状態を維持できる。
【００２７】
図２７又は図２８を参照すると、一対のインシュレーショングリップ９３ｉ・９３ｉは、絶縁シースＷｉを圧着できる。そして、一対のインシュレーショングリップ９３ｉ・９３ｉは、同軸ケーブルＣｂの端末に同軸コネクタ１０を固定できる。
【００２８】
図３５を参照すると、従来技術による同軸コネクタ９は、同軸ケーブルＣｂの端末を結線している。同軸ケーブルＣｂは、撚線からなる円形の中心導体Ｗｃ、中心導体Ｗｃの周囲を囲うフッ素系樹脂などの誘電体Ｄｉ、誘電体Ｄｉの周囲を囲う編組線などの外部導体Ｗｂ、及び、外部導体Ｗｂを被覆保護する絶縁シースＷｉで構成している。図３５に示した同軸ケーブルＣｂは、外部導体Ｗｂ及び絶縁シースＷｉが同軸ケーブルＣｂの端面から所定の剥離長Ｌで予め剥離されている。つまり、同軸ケーブルＣｂは、端末処理されている。
【００２９】
次に、従来技術による同軸コネクタが接続されるリセプタクルの構成を説明する。図３７から図３９を参照すると、従来技術によるリセプタクル８は、円筒状の中心コンタクト８１、円筒状の外部コンタクト８２、及び、誘電体からなるハウジング８３を備えている。
【００３０】
図３７又は図３９を参照すると、中心コンタクト８１は、円筒状の本体部８１ｂとリード部８１ｒで構成している。本体部８１ｂは、先端部が半球状に閉塞され、内部が中空になっている。リード部８１ｒは、本体部８１ｂの底壁から外周方向に帯状に延びている。リード部８１ｒは、その底面を図示しないプリント基板の信号ラインにハンダ接合できる。
【００３１】
図３７又は図３９を参照すると、外部コンタクト８２は、円筒部８２ｒと複数の鍔部８２ｆで構成している。円筒部８２ｒは、上面を開口している。又、円筒部８２ｒは、中心コンタクト８１の本体部８１ｂを囲うように、本体部８１ｂを同軸上に内部に配置している。鍔部８２ｆは、円筒部８２ｒの底壁から三方向に帯状に延びている。複数の鍔部８２ｆは、その底面を図示しないプリント基板のグラウンドパターンにハンダ接合できる。
【００３２】
図３７を参照すると、ハウジング８３は、矩形の板状に形成している。ハウジング８３は、中心コンタクト８１及び外部コンタクト８２を一体成形することで、中心コンタクト８１と外部コンタクト８２を固定している。円筒部８２ｒの内部では、中心コンタクト８１と外部コンタクト８２を電気的に絶縁するように、ハウジング８３で充実している。
【００３３】
図３８又は図３９を参照して、同軸コネクタ９をリセプタクル８に接続すると、同軸ケーブルＣｂに内在する中心導体Ｗｃを中心コンタクト８１に接続でき、同軸ケーブルＣｂに内在する外部導体Ｗｂを外部コンタクト８２に接続できる。そして、同軸ケーブルＣｂから高周波信号をプリント基板８ｐに伝送でき、プリント基板８ｐから高周波信号を同軸ケーブルＣｂに伝送できる。
【００３４】
このように、従来技術による同軸コネクタは、一組の同軸コネクタとリセプタクルを用いて、同軸ケーブルとプリント基板を電気的に接続している。
【００３５】
従来技術による同軸コネクタは、ピアシング端子を同軸ケーブルの中心導体に突き刺して、コンタクトと中心導体を電気的に接続すると共に、シェルの端部に配置した一対の突き刺し突起を同軸ケーブルの外部導体に突き刺すことで、シェルと外部導体を電気的に接続可能とするように構成することで、同軸ケーブルの端末処理を簡易にできる、としている。
【００３６】
しかし、従来技術による同軸コネクタは、ピアシング端子を中心導体に突き刺すと同時に、一対の突き刺し突起を外部導体に突き刺すことが容易でない、という問題がある。又、従来技術による同軸コネクタは、外部導体及び絶縁シースを同軸ケーブルの端面から所定の剥離長で予め剥離する、同軸ケーブルの剥離工程を含んでいる。同軸コネクタの構造を工夫することで、同軸ケーブルの端末処理が簡易な同軸コネクタが求められている。そして、以上のことが本発明の課題といってよい。
【００３７】
本発明は、このような課題に鑑みてなされたものであり、同軸ケーブルと接続が容易位であり、同軸ケーブルの端末処理が簡易な同軸コネクタを提供することを目的とする。
【課題を解決するための手段】
【００３８】
本発明者らは、軸方向と略直交する先端面を有する同軸ケーブルの端末を端部に保持したハウジング、このハウジングの中央部に載置し、同軸ケーブルの中心導体に突き刺し自在なピアシング端子を有し、同軸ケーブルの先端面に向って移動自在なコンタクト、及び、ハウジングを保持すると共に、ハウジングの開口を閉止できるケーブルクランプを有するシェルで同軸コネクタを構成し、ハウジングには、コンタクトを覆うリッドハウジングを設け、リッドハウジングには、コンタクトに向かって傾倒した状態で、ピアシング端子を同軸ケーブルの中心導体に向かって移動させるカム片を配置することで、同軸ケーブルの端末処理を簡易にできると考え、これに基づいて、以下のような新たな同軸コネクタを発明するに至った。
【００３９】
（１）本発明による同軸コネクタは、中心導体、この中心導体を包囲する誘電体、この誘電体を覆う外部導体、及び、この外部導体を被覆する絶縁シースを有し、軸方向と略直交する先端面を形成した同軸ケーブルの端末を結線する同軸コネクタであって、略矩形に形成した天板の両辺から湾曲し、相手側コンタクトを内部に導入自在に、先端部側をΩ字状に開口した一対の接触片を有する接続端子、及び、前記同軸ケーブルの先端面の中心部を突き刺して、前記中心導体に接触できる槍状の第１圧接刃を前記天板の端部に配置したピアシング端子を有する第１コンタクトと、相手側コンタクトを導入自在に一方の面を開口し、一対の前記接触片を内部に配置した第１収容室を有する円板部、及び、この円板部から一部が外周方向に突出した方形部を有し、一部が前記第１収容室に連通すると共に、前記接触片の突出方向から前記第１コンタクトを導入でき、前記第１コンタクトを移動自在に、前記天板を底面に載置した第２収容室を他方の面に開口した前円後方形状の第１ハウジングと、一対の前記接触片が突出する方向と同じ方向から、一方の面に向って前記円板部を収容自在な円筒部、この円筒部の外周の一部が連続して略平行に延び、前記方形部を内部に収容自在な一対の延在片を有する導電性のシェルと、を備え、前記第１ハウジングは、一端部を前記円板部の一部と屈曲自在に連結し、他端部側が前記第２収容室を閉止できる帯板状の第１リッドハウジングを有し、前記シェルは、一端部を前記円筒部の一部と屈曲自在に連結し、他端部側が前記第１リッドハウジングと連動して、前記円筒部の他方の面を閉止できる底板片を有するケーブルクランプを有し、前記方形部は、前記第２収容室に連通し、同軸ケーブルの端末を導入自在な導入穴を有し、前記第１リッドハウジングは、前記第１ハウジングの第２収容室を閉止した状態では、前記第１圧接刃の先端を前記同軸ケーブルの先端面と対向配置した状態から前記第１圧接刃が前記中心導体に突き刺す状態に前記ピアシング端子に当接して、前記第１コンタクトを移動させるカム片を内壁から突出している。
【００４０】
（２）本発明による同軸コネクタは、中心導体、この中心導体を包囲する誘電体、この誘電体を覆う外部導体、及び、この外部導体を被覆する絶縁シースを有し、軸方向と略直交する先端面を形成した同軸ケーブルの端末を結線する同軸コネクタであって、略矩形に形成した天板の両辺から湾曲し、相手側コンタクトを内部に導入自在に、先端部側をΩ字状に開口した一対の接触片を有する接続端子、及び、前記同軸ケーブルの先端面の中心部を突き刺して、前記中心導体に接触できる槍状の第２圧接刃を前記天板の端部に配置し、前記第２圧接刃が揺動自在なピアシング端子を有する第２コンタクトと、相手側コンタクトを導入自在に一方の面を開口し、一対の前記接触片を内部に配置した第３収容室を有する円板部、及び、この円板部から一部が外周方向に突出した方形部を有し、一部が前記第３収容室に連通すると共に、前記接触片の突出方向から前記第２コンタクトを導入でき、前記第２コンタクトの天板を底面に固定した第４収容室を他方の面に開口した前円後方形状の第２ハウジングと、一対の前記接触片が突出する方向と同じ方向から、一方の面に向って前記円板部を収容自在な円筒部、この円筒部の外周の一部が連続して略平行に延び、前記方形部を内部に収容自在な一対の延在片を有する導電性のシェルと、を備え、前記第２ハウジングは、一端部を前記円板部の一部と屈曲自在に連結し、他端部側が前記第４収容室を閉止できる帯板状の第２リッドハウジングを有し、前記シェルは、一端部を前記円筒部の一部と屈曲自在に連結し、他端部側が前記第２リッドハウジングと連動して、前記円筒部の他方の面を閉止できる底板片を有するケーブルクランプを有し、前記方形部は、前記第４収容室に連通し、同軸ケーブルの端末を導入自在な導入穴を有し、前記第２リッドハウジングは、前記第２ハウジングの第４収容室を閉止した状態では、前記第２圧接刃の先端を前記同軸ケーブルの先端面と対向配置した状態から前記第２圧接刃が前記中心導体に突き刺す状態に前記第２圧接刃の反対面に当接して、前記第２圧接刃を移動させるカム片を内壁から突出している。
【００４１】
（３）前記ケーブルクランプは、一対の前記延在片を介して、前記方形部を圧着自在な一対のクリンプバレルと、前記絶縁シースを圧着自在な一対のインシュレーショングリップと、を含み、前記インシュレーショングリップは、前記絶縁シースを外周方向から突き刺して、前記外部導体に接触できる帯状のブレードを内壁に形成していることが好ましい。
【発明の効果】
【００４２】
本発明による同軸コネクタは、軸方向と略直交する先端面を有する同軸ケーブルの端末を端部に保持したハウジング、このハウジングの中央部に載置し、同軸ケーブルの中心導体に突き刺し自在なピアシング端子を有し、同軸ケーブルの先端面に向って移動自在なコンタクト、及び、ハウジングを保持すると共に、ハウジングの開口を閉止できるケーブルクランプを有するシェルを備え、ハウジングには、コンタクトを覆うリッドハウジングを設け、リッドハウジングには、コンタクトに向かって傾倒した状態で、ピアシング端子を同軸ケーブルの中心導体に向かって移動させるカム片を配置しているので、同軸ケーブルの端末処理を簡易にできる。
【図面の簡単な説明】
【００４３】
【図１】本発明の第１実施形態による同軸コネクタの構成を示す斜視図であり、同軸ケーブルの端末を同軸コネクタに結線する前の状態図である。
【図２】第１実施形態による同軸コネクタの構成を示す斜視図であり、同軸ケーブルの端末を同軸コネクタに結線する前の状態を図１と異なる方向から観ている。
【図３】第１実施形態による同軸コネクタの構成を示す斜視分解組立図である。
【図４】第１実施形態による同軸コネクタの構成を示す正面図である。
【図５】第１実施形態による同軸コネクタの構成を示す背面図である。
【図６】第１実施形態による同軸コネクタの構成を示す右側面図である。
【図７】第１実施形態による同軸コネクタの構成を示す平面図である。
【図８】第１実施形態による同軸コネクタの構成を示す下面図である。
【図９】第１実施形態による同軸コネクタに備わる第１コンタクトの構成を示す斜視図であり、図９（Ａ）は、第１コンタクトを背面側から観た状態図、図９（Ｂ）は、第１コンタクトを正面側から観た状態図である。
【図１０】第１実施形態による同軸コネクタに備わる第１コンタクトの構成を示す図であり、図１０（Ａ）は、第１コンタクトの平面図、図１０（Ｂ）は、第１コンタクトの正面図、図１０（Ｃ）は、第１コンタクトの右側面図、図１０（Ｄ）は、第１コンタクトの背面図、図１０（Ｅ）は、第１コンタクトの下面図である。
【図１１】第１実施形態による同軸コネクタに備わる第１ハウジングの構成を示す斜視図であり、図１１（Ａ）は、第１ハウジングを上面側から観た状態図、図１１（Ｂ）は、第１ハウジングを下面側から観た状態図である。
【図１２】第１実施形態による同軸コネクタに備わる第１ハウジングの構成を示す図であり、図１１（Ａ）は、第１ハウジングの平面図、図１１（Ｂ）は、第１ハウジングの正面図、図１１（Ｃ）は、第１ハウジングの右側面図、図１１（Ｄ）は、第１ハウジングの背面図、図１１（Ｅ）は、第１ハウジングの下面図である。
【図１３】第１実施形態による同軸コネクタに備わるシェルの構成を示す図であり、図１３（Ａ）は、シェルの平面図、図１３（Ｂ）は、シェルの正面図、図１３（Ｃ）は、シェルの右側面図、図１３（Ｄ）は、シェルの背面図、図１３（Ｅ）は、シェルの下面図である。
【図１４】第１実施形態による同軸コネクタの構成を示す斜視図であり、第１リッドハウジングに設けたカム片が傾倒した状態図である。
【図１５】第１実施形態による同軸コネクタの構成を示す斜視図であり、ケーブルクランプが同軸ケーブルをクランプした状態を上面側から観た図である。
【図１６】第１実施形態による同軸コネクタの構成を示す斜視図であり、ケーブルクランプが同軸ケーブルをクランプした状態を下面側から観た図である。
【図１７】第１実施形態による同軸コネクタの構成を示す下面図であり、ケーブルクランプが同軸ケーブルをクランプした状態図である。
【図１８】第１実施形態による同軸コネクタの構成を示す平面図であり、ケーブルクランプが同軸ケーブルをクランプした状態図である。
【図１９】第１実施形態による同軸コネクタと相手側コネクタが接続した状態を示す斜視図である。
【図２０】第１実施形態による同軸コネクタの構成を示す斜視図であり、相手側コネクタを対向配置した状態図である。
【図２１】第１実施形態による同軸コネクタの構成を示す斜視図であり、相手側コネクタを対向配置した状態を下面側から観た図である。
【図２２】第１実施形態による同軸コネクタの構成を示す縦断面図であり、第１リッドハウジング及びシェルを開いた状態図である。
【図２３】第１実施形態による同軸コネクタの構成を示す縦断面図であり、第１リッドハウジングを閉じた状態図である。
【図２４】第１実施形態による同軸コネクタの構成を示す縦断面図であり、第１リッドハウジング及びシェルを閉じた状態図である。
【図２５】本発明の第２実施形態による同軸コネクタの構成を示す斜視断面図であり、第２リッドハウジングを開いた状態図である。
【図２６】第２実施形態による同軸コネクタの構成を示す斜視断面図であり、図２６（Ａ）は、第２リッドハウジングを閉じた状態図、図２６（Ｂ）は、図２６（Ａ）の要部を拡大した図である。
【図２７】従来技術による同軸コネクタの構成を示す斜視図であり、同軸ケーブルの端末を結線した状態図である。
【図２８】従来技術による同軸コネクタの構成を示す右側面図であり、同軸ケーブルの端末を結線した状態図である。
【図２９】従来技術による同軸コネクタの構成を示す縦断面図であり、同軸ケーブルの端末を結線した状態図である。
【図３０】従来技術による同軸コネクタの構成を示す斜視図であり、同軸ケーブルの端末を同軸コネクタに結線する前の状態図である。
【図３１】従来技術による同軸コネクタの構成を示す右側面図であり、同軸ケーブルの端末を同軸コネクタに結線する前の状態図である。
【図３２】従来技術による同軸コネクタの構成を示す右側面図であり、同軸ケーブルの端末を同軸コネクタに結線する前の状態図である。
【図３３】従来技術による同軸コネクタに備わるコンタクトの構成を示す斜視図である。
【図３４】従来技術による同軸コネクタに備わるハウジングの構成を示す斜視図である。
【図３５】従来技術による同軸コネクタに適用される同軸ケーブルの一例の構成を示す斜視図である。
【図３６】従来技術による同軸コネクタの構成を示す斜視図であり、同軸ケーブルの端末を同軸コネクタに結線した状態図である。
【図３７】従来技術による同軸コネクタに接続される相手側コネクタの構成を示す斜視図である。
【図３８】従来技術による同軸コネクタと相手側コネクタが接続した状態を示す斜視図である。
【図３９】従来技術による同軸コネクタと相手側コネクタが接続した状態を示す縦断面図である。
【発明を実施するための形態】
【００４４】
以下、図面を参照して本発明を実施するための形態を説明する。
［第１実施形態］
（同軸コネクタの構成）
最初に、本発明の第１実施形態による同軸コネクタの構成を説明する。
【００４５】
図１は、本発明の第１実施形態による同軸コネクタの構成を示す斜視図であり、同軸ケーブルの端末を同軸コネクタに結線する前の状態図である。
【００４６】
図２は、第１実施形態による同軸コネクタの構成を示す斜視図であり、同軸ケーブルの端末を同軸コネクタに結線する前の状態を図１と異なる方向から観ている。
【００４７】
図３は、第１実施形態による同軸コネクタの構成を示す斜視分解組立図である。図４は、第１実施形態による同軸コネクタの構成を示す正面図である。図５は、第１実施形態による同軸コネクタの構成を示す背面図である。
【００４８】
図６は、第１実施形態による同軸コネクタの構成を示す右側面図である。図７は、第１実施形態による同軸コネクタの構成を示す平面図である。図８は、第１実施形態による同軸コネクタの構成を示す下面図である。
【００４９】
図９は、第１実施形態による同軸コネクタに備わる第１コンタクトの構成を示す斜視図であり、図９（Ａ）は、第１コンタクトを背面側から観た状態図、図９（Ｂ）は、第１コンタクトを正面側から観た状態図である。
【００５０】
図１０は、第１実施形態による同軸コネクタに備わる第１コンタクトの構成を示す図であり、図１０（Ａ）は、第１コンタクトの平面図、図１０（Ｂ）は、第１コンタクトの正面図、図１０（Ｃ）は、第１コンタクトの右側面図、図１０（Ｄ）は、第１コンタクトの背面図、図１０（Ｅ）は、第１コンタクトの下面図である。
【００５１】
図１１は、第１実施形態による同軸コネクタに備わる第１ハウジングの構成を示す斜視図であり、図１１（Ａ）は、第１ハウジングを上面側から観た状態図、図１１（Ｂ）は、第１ハウジングを下面側から観た状態図である。
【００５２】
図１２は、第１実施形態による同軸コネクタに備わる第１ハウジングの構成を示す図であり、図１１（Ａ）は、第１ハウジングの平面図、図１１（Ｂ）は、第１ハウジングの正面図、図１１（Ｃ）は、第１ハウジングの右側面図、図１１（Ｄ）は、第１ハウジングの背面図、図１１（Ｅ）は、第１ハウジングの下面図である。
【００５３】
図１３は、第１実施形態による同軸コネクタに備わるシェルの構成を示す図であり、図１３（Ａ）は、シェルの平面図、図１３（Ｂ）は、シェルの正面図、図１３（Ｃ）は、シェルの右側面図、図１３（Ｄ）は、シェルの背面図、図１３（Ｅ）は、シェルの下面図である。
【００５４】
図１４は、第１実施形態による同軸コネクタの構成を示す斜視図であり、第１リッドハウジングに設けたカム片が傾倒した状態図である。
【００５５】
図１５は、第１実施形態による同軸コネクタの構成を示す斜視図であり、ケーブルクランプが同軸ケーブルをクランプした状態を上面側から観た図である。図１６は、第１実施形態による同軸コネクタの構成を示す斜視図であり、ケーブルクランプが同軸ケーブルをクランプした状態を下面側から観た図である。
【００５６】
図１７は、第１実施形態による同軸コネクタの構成を示す下面図であり、ケーブルクランプが同軸ケーブルをクランプした状態図である。図１８は、第１実施形態による同軸コネクタの構成を示す平面図であり、ケーブルクランプが同軸ケーブルをクランプした状態図である。
【００５７】
図１９は、第１実施形態による同軸コネクタと相手側コネクタが接続した状態を示す斜視図である。図２０は、第１実施形態による同軸コネクタの構成を示す斜視図であり、相手側コネクタを対向配置した状態図である。図２１は、第１実施形態による同軸コネクタの構成を示す斜視図であり、相手側コネクタを対向配置した状態を下面側から観た図である。
【００５８】
図２２は、第１実施形態による同軸コネクタの構成を示す縦断面図であり、第１リッドハウジング及びシェルを開いた状態図である。
【００５９】
図２３は、第１実施形態による同軸コネクタの構成を示す縦断面図であり、第１リッドハウジング及びシェルを開いた状態図である。
【００６０】
図２４は、第１実施形態による同軸コネクタの構成を示す縦断面図であり、第１リッドハウジング及びシェルを閉じた状態図である。
【００６１】
なお、従来技術で用いた符号と同じ符号を付した構成品は、その作用を同じとするので、以下説明を省略する場合がある。
【００６２】
（全体構成）
図１から図２４を参照すると、本発明の第１実施形態による同軸コネクタ１０は、同軸ケーブルＣｂの端末を結線できる。同軸ケーブルＣｂは、中心導体Ｗｃ、中心導体Ｗｃを包囲する誘電体Ｄｉ、誘電体Ｄｉを覆う編組線などの外部導体Ｗｂ、及び、外部導体Ｗｂを被覆する絶縁シースＷｉを有している。又、同軸ケーブルＣｂは、軸方向と略直交する先端面を形成している。
【００６３】
図１から図２４を参照すると、同軸コネクタ１０は、ピアシング型の第１コンタクト１、前円後方形状の第１ハウジング３、及び、導電性のシェル５を備えている。第１ハウジング３は、帯板状の第１リッドハウジング３１を有している。シェル５は、ケーブルクランプ５１を有している。
【００６４】
図１０又は図１９から図２１を参照すると、第１コンタクト１は、リセプタクル８の中心部に配置した円筒状の中心コンタクト８１（相手側コンタクト）と、同軸ケーブルＣｂを電気的に接続できる。
【００６５】
図９又は図１０を参照すると、第１コンタクト１は、接続端子１１とピアシング端子１２を備えている。接続端子１１は、略矩形に形成した天板１１ｔと一対の接触片１１ｓ・１１ｓを有している。一対の接触片１１ｓ・１１ｓは、天板１１ｔの両辺から湾曲し、先端部側をΩ字状に開口している。一対の接触片１１ｓ・１１ｓは、中心コンタクト８１を内部に導入できる（図２０参照）。
【００６６】
図９又は図１０を参照すると、一対の接触片１１ｓ・１１ｓは、対向配置された一対の接点１１１・１１１を接触片１１ｓ・１１ｓの先端部に有している。一対の接点１１１・１１１は、中心コンタクト８１の外周に接触できる（図２０参照）。
【００６７】
図９又は図１０を参照すると、ピアシング端子１２は、天板１１ｔの前端部から起立した起立片１２ｓを有している。又、ピアシング端子１２は、槍状の第１圧接刃１２ｐを有している。第１圧接刃１２ｐは、起立片１２ｓの先端部から、天板１１ｔと反対側に突出している。又、第１圧接刃１２ｐの基端部には、一対の段差１２ｄ．１２ｄを形成している。
【００６８】
図２２を参照して、第１圧接刃１２ｐの先端を同軸ケーブルＣｂの先端面と対向配置した状態から、第１コンタクト１を同軸ケーブルＣｂの先端面に向って移動すると、第１圧接刃１２ｐを中心導体Ｗｃに突き刺すことができる（図２３参照）。そして、ピアシング端子１２を中心導体Ｗｃに接触できる。
【００６９】
図９又は図１０を参照すると、第１コンタクト１は、導電性を有する金属板からなることが好ましく、導電性を有する金属板を打ち抜き加工することで、所望の形状のピアシング型のコンタクトを得ることができる。第１コンタクト１は、銅合金からなることが好ましいが、銅合金に限定されない。
【００７０】
図１１又は図１２を参照すると、第１ハウジング３は、円板部３２と方形部３３を有している。方形部３３は、円板部３２からその一部が外周方向に突出している。円板部３２は、第１収容室３２１を中心部に有している（図１１（Ｂ）又は図１２（Ｅ）参照）。
【００７１】
図４又は図２１を参照すると、第１収容室３２１は、中心コンタクト８１を導入自在に、第１ハウジング３の一方の面を矩形に開口している。そして、第１収容室３２１には、一対の接触片１１ｓ・１１ｓを内部に配置している（図４又は図２１参照）。
【００７２】
又、図１から図３及び図１１（Ａ）又は図１２（Ａ）を参照すると、円板部３２は、第２収容室３２２を他方の面に矩形に開口している。第２収容室３２２は、その一部が第１収容室３２１に連通している。
【００７３】
図３を参照すると、第２収容室３２２には、一対の接触片１１ｓ・１１ｓの突出方向から第１コンタクト１を導入できる。そして、天板１１ｔを第２収容室３２２の底面に載置できる。図２２又は図２３を参照して、第１コンタクト１を第２収容室３２２に収容した状態では、第１圧接刃１２ｐが進退する運動のみに規制されている。
【００７４】
図３又は図１１（Ａ）及び図１２（Ｂ）を参照すると、方形部３３は、導入穴３３ｈを開口している。導入穴３３ｈには、同軸ケーブルＣｂの端末を導入できる（図１から図３参照）。又、導入穴３３ｈは、第２収容室３２２に連通している。
【００７５】
図１から図３又は図１１を参照すると、第１リッドハウジング３１は、その一端部を円板部３２の一部と屈曲自在にヒンジ３１ｈで連結している。そして、第１リッドハウジング３１は、その他端部側が第２収容室３２２を閉止できる（図１４参照）。
【００７６】
図１から図８又は図１３を参照すると、シェル５は、円筒部５２と一対の延在片５３・５３を有している。円筒部５２には、一対の接触片１１ｓ・１１ｓが突出する方向と同じ方向から、円筒部５２の一方の面に向って、円板部３２を収容できる（図１から図３参照）。
【００７７】
図１から図３又は図１３を参照すると、一対の延在片５３・５３は、円筒部５２の外周の一部が連続して略平行に延びている。そして、一対の延在片５３・５３には、その内部に方形部３３を収容できる（図１から図３参照）。
【００７８】
図１から図８又は図１３を参照すると、ケーブルクランプ５１は、底板片５１１を有している。底板片５１１は、その一端部を円筒部５２の一部と屈曲自在にヒンジ５１ｈで連結している。又、底板片５１１は、その他端部側が第１リッドハウジング３１と連動して、シェル５の他方の面を閉止できる（図１５又は図２４参照）。
【００７９】
図１から図３及び図１１（Ａ）又は図１２を参照すると、第１リッドハウジング３１は、カム片３１ｃを内壁から突出している。第１リッドハウジング３１が第１ハウジング３の第２収容室３２２を閉止した状態では（図２３参照）、カム片３１ｃは、第１圧接刃１２ｐの先端を同軸ケーブルＣｂの先端面と対向配置した状態から（図２３参照）、第１圧接刃１２ｐが中心導体Ｗｃに突き刺す状態に（図２４参照）、ピアシング端子１２に当接して、第１コンタクト１を移動させることができる。
【００８０】
図１から図２４を参照すると、同軸コネクタ１０は、軸方向と略直交する先端面を有する同軸ケーブルＣｂの端末を端部に保持した第１ハウジング３、第１ハウジング３の中央部に載置し、同軸ケーブルＣｂの中心導体Ｗｃに突き刺し自在なピアシング端子１２を有し、同軸ケーブルＣｂの先端面に向って移動自在な第１コンタクト１、及び、第１ハウジング３を保持すると共に、第１ハウジング３の開口を閉止できるケーブルクランプ５１を有するシェル５を備え、第１ハウジング３には、第１コンタクト１を覆う第１リッドハウジング３１を設け、第１リッドハウジング３１には、第１コンタクト１に向かって傾倒した状態で、ピアシング端子１２を同軸ケーブルＣｂの中心導体Ｗｃに向かって移動させるカム片３１ｃを配置しているので、同軸ケーブルＣｂの端末処理を簡易にできる。
【００８１】
（第１ハウジング及び第１リッドハウジングの構成）
次に、実施形態による第１ハウジング３及び第１リッドハウジング３１の構成を説明する。図１１又は図１２を参照すると、第１ハウジング３及び第１リッドハウジング３１は、絶縁性を有する合成樹脂からなることが好ましく、絶縁性を有する合成樹脂を成形して所望の形状の第１リッドハウジング３１付き第１ハウジング３を得ることができる。
【００８２】
図３又は図１１及び図２を参照すると、第２収容室３２２には、その底面に天板１１ｔを載置できる。図２２又は図２３を参照して、天板１１ｔを第２収容室３２２の底面に載置した状態では、第１圧接刃１２ｐが進退する運動のみに規制されている。
【００８３】
図１２を参照すると、第１ハウジング３は、一対の停止壁３２ｗ・３２ｗを導入穴３３ｈの奥部に形成している。同軸ケーブルＣｂの端末を導入穴３３ｈに導入し、同軸ケーブルＣｂの先端面を一対の停止壁３２ｗ・３２ｗに当接することで、同軸ケーブルＣｂの挿入長を規定できる。
【００８４】
（シェル及びケーブルクランプの構成）
次に、実施形態によるシェル５及びケーブルクランプ５１の構成を説明する。図１から図８及び図１３を参照して、シェル５及びケーブルクランプ５１は、導電性を有する金属板からなり、所定の外形に加工された導電性を有する展開板を成形加工して、所望の形状のケーブルクランプ５１付きシェル５を得ることが好ましい。
【００８５】
図１から図８及び図１３を参照して、シェル５は、導電性を有する展開板を折り曲げ加工して、円筒部５２と一対の延在片５３・５３を成形することが好ましい。又、ケーブルクランプ５１には、一対のクリンプバレル５１ｃ・５１ｃ、及び一対のインシュレーショングリップ５１ｉ・５１ｉを開口した状態で、折り曲げ成形しておくことが好ましい。更に、一対のインシュレーショングリップ５１ｉ・５１ｉには、帯状のブレード５１ｂを内壁に形成しておくことが好ましい。
【００８６】
図１から図８及び図１３を参照すると、一対のクリンプバレル５１ｃ・５１ｃは、一対の延在片５３・５３を介して、方形部３３を圧着できる（図１５又は図１６参照）。これにより、底板片５１１が第１リッドハウジング３１と連動して、シェル５の他方の面を閉止した状態を維持できる。
【００８７】
図１から図８及び図１３を参照すると、一対のインシュレーショングリップ５１ｉ・５１ｉは、絶縁シースＷｉを圧着できる。そして、一対のインシュレーショングリップ５１ｉ・５１ｉは、同軸ケーブルＣｂの端末に同軸コネクタ１０を固定できる。
【００８８】
図１から図８及び図１３を参照して、一対のインシュレーショングリップ５１ｉ・５１ｉを同軸ケーブルＣｂの端末に圧着すると、ブレード５１ｂが絶縁シースＷｉを突き刺して、ブレード５１ｂを外部導体Ｗｂに接触できる。そして、シェル５と外部導体Ｗｂを電気的に接続できる。
【００８９】
（同軸コネクタの作用）
次に、第１実施形態による同軸コネクタ１０の組立順序を説明しながら、第１実施形態による同軸コネクタ１０の作用及び効果を説明する。
【００９０】
最初に、図３を参照して、第１コンタクト１を第１ハウジング３に挿入しておく。次に、図３を参照して、第１コンタクト１付き第１ハウジング３をシェル５の一方の面からシェル５に挿入する（図１又は図２参照）。これにより、シェル５は、第１コンタクト１付き第１ハウジング３を保持できる。
【００９１】
次に、図３を参照して、同軸ケーブルＣｂの端末を第１コンタクト１の導入穴３３ｈに挿入する（図２２参照）。次に、図２２に示すように、シェル５の円筒部５２に対して、ケーブルクランプ５１が起立した状態から、シェル５の他方の面に向って、ケーブルクランプ５１を屈曲する（図２４参照）。
【００９２】
次に、図２４を参照して、ケーブルクランプ５１の底板片５１１がシェル５の他方の面を閉鎖した状態では、第１リッドハウジング３１のカム片３１ｃが第１コンタクト１を移動させることで、第１圧接刃１２ｐの先端を同軸ケーブルＣｂの中心導体Ｗｃに突き刺すことができる。これにより、第１コンタクト１と同軸ケーブルＣｂの中心導体Ｗｃを電気的に接続できる。
【００９３】
次に、図１から図８及び図１３を参照して、一対のインシュレーショングリップ５１ｉ・５１ｉを同軸ケーブルＣｂの端末に圧着することで、ブレード５１ｂが絶縁シースＷｉを突き刺して、ブレード５１ｂを外部導体Ｗｂに接触できる。そして、シェル５と外部導体Ｗｂを電気的に接続できる。そして、一連の組立作業を終了する。
【００９４】
図１から図２４を参照すると、同軸コネクタ１０は、軸方向と略直交する先端面を有する同軸ケーブルＣｂの端末を端部に保持した第１ハウジング３、第１ハウジング３の中央部に載置し、同軸ケーブルＣｂの中心導体Ｗｃに突き刺し自在なピアシング端子１２を有し、同軸ケーブルＣｂの先端面に向って移動自在な第１コンタクト１、及び、第１ハウジング３を保持すると共に、第１ハウジング３の開口を閉止できるケーブルクランプ５１を有するシェル５を備え、第１ハウジング３には、第１コンタクト１を覆う第１リッドハウジング３１を設け、第１リッドハウジング３１には、第１コンタクト１に向かって傾倒した状態で、ピアシング端子１２を同軸ケーブルＣｂの中心導体Ｗｃに向かって移動させるカム片３１ｃを配置しているので、同軸ケーブルＣｂの端末処理を簡易にできる。
【００９５】
［第２実施形態］
（同軸コネクタの構成）
次に、本発明の第２実施形態による同軸コネクタの構成を説明する。
【００９６】
図２５は、本発明の第２実施形態による同軸コネクタの構成を示す斜視断面図であり、第２リッドハウジングを開いた状態図である。
【００９７】
図２６は、第２実施形態による同軸コネクタの構成を示す斜視断面図であり、図２６（Ａ）は、第２リッドハウジングを閉じた状態図、図２６（Ｂ）は、図２６（Ａ）の要部を拡大した図である。なお、図２５及び図２６では、シェル５の図示を省略している。
【００９８】
図２５又は図２６を参照すると、本発明の第２実施形態による同軸コネクタ２０は、同軸ケーブルＣｂの端末を結線できる。同軸ケーブルＣｂは、中心導体Ｗｃ、中心導体Ｗｃを包囲する誘電体Ｄｉ、誘電体Ｄｉを覆う編組線などの外部導体Ｗｂ、及び、外部導体Ｗｂを被覆する絶縁シースＷｉを有している。又、同軸ケーブルＣｂは、軸方向と略直交する先端面を形成している。
【００９９】
図２５又は図２６を参照すると、同軸コネクタ２０は、ピアシング型の第２コンタクト２、前円後方形状の第２ハウジング４、及び、導電性のシェル５を備えている。第２ハウジング４は、帯板状の第２リッドハウジング４１を有している。シェル５は、ケーブルクランプ５１を有している。
【０１００】
図２５又は図２６を参照すると、第２コンタクト２は、リセプタクル８の中心部に配置した円筒状の中心コンタクト８１と、同軸ケーブルＣｂを電気的に接続できる（図２０参照）。
【０１０１】
図２５又は図２６を参照すると、第２コンタクト２は、接続端子２１とピアシング端子２２を備えている。接続端子２１は、略矩形に形成した天板２１ｔと一対の接触片２１ｓ・２１ｓを有している。一対の接触片２１ｓ・２１ｓは、天板２１ｔの両辺から湾曲し、先端部側をΩ字状に開口している。一対の接触片２１ｓ・２１ｓは、中心コンタクト８１を内部に導入できる（図２０参照）。
【０１０２】
図２５又は図２６を参照すると、ピアシング端子２２は、天板２１ｔの前端部から起立した起立片２２ｓを有している。又、ピアシング端子２２は、槍状の第２圧接刃２２ｐを有している。第２圧接刃２２ｐは、起立片２２ｓの先端部から、天板２１ｔと反対側に突出している。又、第２圧接刃２２ｐは、揺動自在に構成している。
【０１０３】
図２５を参照して、第２圧接刃２２ｐの先端を同軸ケーブルＣｂの先端面と対向配置した状態から、第２圧接刃２２ｐの反対面から第２圧接刃２２ｐを押すと、第２圧接刃２２ｐを中心導体Ｗｃに突き刺すことができる（図２６参照）。そして、ピアシング端子２２を中心導体Ｗｃに接触できる。
【０１０４】
図２５又は図２６を参照すると、第２ハウジング４は、円板部４２と方形部４３を有している。方形部４３は、円板部４２からその一部が外周方向に突出している。円板部４２は、第３収容室４２１を中心部に有している。
【０１０５】
図２５又は図２６を参照すると、第３収容室４２１は、中心コンタクト８１を導入自在に、第２ハウジング４の一方の面を矩形に開口している（図２０参照）。そして、第３収容室４２１には、一対の接触片２１ｓ・２１ｓを内部に配置している。
【０１０６】
又、図２５又は図２６を参照すると、円板部４２は、第４収容室４２２を他方の面に矩形に開口している。第４収容室４２２は、その一部が第３収容室４２１に連通している。
【０１０７】
図２５を参照すると、第４収容室４２２には、一対の接触片２１ｓ・２１ｓの突出方向から第２コンタクト２を導入できる。そして、天板２１ｔを第４収容室４２２の底面に載置できる。第２コンタクト２を第４収容室４２２に収容した状態では、第２圧接刃２２ｐが揺動自在に配置されている。
【０１０８】
図２５又は図２６を参照すると、方形部４３は、導入穴４３ｈを開口している。導入穴４３ｈには、同軸ケーブルＣｂの端末を導入できる。又、導入穴４３ｈは、第４収容室４２２に連通している。
【０１０９】
図２６（Ａ）を参照すると、第２リッドハウジング４１は、その一端部を円板部４２の一部と屈曲自在にヒンジ４１ｈで連結している。そして、第２リッドハウジング４１は、その他端部側が第４収容室４２２を閉止できる。
【０１１０】
図１３を参照して、ケーブルクランプ５１の底板片５１１は、その他端部側が第２リッドハウジング４１と連動して、シェル５の他方の面を閉止できる。
【０１１１】
図２５又は図２６を参照すると、第２リッドハウジング４１は、カム片４１ｃを内壁から突出している。第２リッドハウジング４１が第２ハウジング４の第４収容室４２２を閉止した状態では（図２６（Ａ）参照）、カム片４１ｃは、第２圧接刃２２ｐの先端を同軸ケーブルＣｂの先端面と対向配置した状態から（図２５参照）、第２圧接刃２２ｐが中心導体Ｗｃに突き刺す状態に（図２６（Ｂ）参照）、第２圧接刃２２ｐの反対面に当接して、第２圧接刃２２ｐを移動させることができる。
【０１１２】
（同軸コネクタの作用）
次に、第２実施形態による同軸コネクタ２０の作用及び効果を説明する。図１から図２４を参照すると共に、図２５又は図２６を参照すると、同軸コネクタ２０は、軸方向と略直交する先端面を有する同軸ケーブルＣｂの端末を端部に保持した第２ハウジング４、第２ハウジング４の中央部に載置し、同軸ケーブルＣｂの中心導体Ｗｃに突き刺し自在なピアシング端子２２を有し、同軸ケーブルＣｂの先端面に向って移動自在な第２コンタクト２、及び、第２ハウジング４を保持すると共に、第２ハウジング４の開口を閉止できるケーブルクランプ５１を有するシェル５を備え、第２ハウジング４には、第２コンタクト２を覆う第２リッドハウジング４１を設け、第２リッドハウジング４１には、第２コンタクト２に向かって傾倒した状態で、第２圧接刃２２ｐを同軸ケーブルＣｂの中心導体Ｗｃに向かって移動させるカム片４１ｃを配置しているので、同軸ケーブルＣｂの端末処理を簡易にできる。
【符号の説明】
【０１１３】
１  第１コンタクト
３  第１ハウジング
５  シェル
１０  同軸ケーブル
１１  接続端子
１１ｓ・１１ｓ  一対の接触片
１１ｔ  天板
１２  ピアシング端子
１２ｐ  第１圧接刃
３１  第１リッドハウジング
３１ｃ  カム片
３２  円板部
３３  方形部
３３ｈ  導入穴
５１  ケーブルクランプ
５２  円筒部
５３・５３  一対の延在片
３２１  第１収容室
３２２  第２収容室
５１１  底板片
Ｃｂ  同軸ケーブル
Ｄｉ  誘電体
Ｗｂ  外部導体
Ｗｃ  中心導体
Ｗｉ  絶縁シース
【図１】
2018113224.tif 000003
【図２】
2018113224.tif 000004
【図３】
2018113224.tif 000005
【図４】
2018113224.tif 000006
【図５】
2018113224.tif 000007
【図６】
2018113224.tif 000008
【図７】
2018113224.tif 000009
【図８】
2018113224.tif 000010
【図９】
2018113224.tif 000011
【図１０】
2018113224.tif 000012
【図１１】
2018113224.tif 000013
【図１２】
2018113224.tif 000014
【図１３】
2018113224.tif 000015
【図１４】
2018113224.tif 000016
【図１５】
2018113224.tif 000017
【図１６】
2018113224.tif 000018
【図１７】
2018113224.tif 000019
【図１８】
2018113224.tif 000020
【図１９】
2018113224.tif 000021
【図２０】
2018113224.tif 000022
【図２１】
2018113224.tif 000023
【図２２】
2018113224.tif 000024
【図２３】
2018113224.tif 000025
【図２４】
2018113224.tif 000026
【図２５】
2018113224.tif 000027
【図２６】
2018113224.tif 000028
【図２７】
2018113224.tif 000029
【図２８】
2018113224.tif 000030
【図２９】
2018113224.tif 000031
【図３０】
2018113224.tif 000032
【図３１】
2018113224.tif 000033
【図３２】
2018113224.tif 000034
【図３３】
2018113224.tif 000035
【図３４】
2018113224.tif 000036
【図３５】
2018113224.tif 000037
【図３６】
2018113224.tif 000038
【図３７】
2018113224.tif 000039
【図３８】
2018113224.tif 000040
【図３９】
2018113224.tif 000041